(57)【特許請求の範囲】
【請求項１】
電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、
第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、
前記１対の接続導体の前記第１端部から前記第２端部までの所定の範囲を筒状に覆う１対の被覆部材と、前記所定の範囲のうちの少なくとも一部の前記１対の被覆部材を機械的に連結する連結部材とを含む支持部材であって、夫々前記突出した位置から前記１対の接続導体の第２端部が互いに同じ方向に向くように、前記１対の接続導体を支持する支持部材と、
を備えるコンデンサ用具。
【請求項２】
電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、
第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、
前記１対の接続導体の前記第１端部から前記第２端部までの所定の範囲で前記前記１対の接続導体を筒状の絶縁材でそれぞれ覆う１対の被覆部材を含み、夫々前記突出した位置から前記１対の接続導体の第２端部が互いに同じ方向に向くように、前記１対の接続導体を支持する支持部材と、
を備えるコンデンサ用具。
【請求項３】
電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、
第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、
前記１対の接続導体の前記第１端部から前記第２端部までの所定の範囲を覆う１対の被覆部材を含み、夫々前記突出した位置から前記１対の接続導体の第２端部が互いに同じ方向に向くように、前記１対の接続導体を支持する支持部材と、
前記１対の接続導体が夫々前記突出した位置を、前記１対の接続導体がＬ字型に屈曲している屈曲点とみなした場合、前記電解コンデンサの前記封口板と、前記屈曲点との間に設けられた蓋状の第１遮蔽物であって、前記１対の被覆部材を支持ように設けられ前記防爆弁から飛散する電解液の飛散範囲を制限する第１遮蔽物
を備えるコンデンサ用具。
【請求項４】
請求項１から請求項３の何れか１項に記載のコンデンサ用具が前記１対の電極に設けられた電解コンデンサを収容する収納棚であって、
前記電解コンデンサの容器の下方に配置される第２遮蔽物を備え、前記電解コンデンサの容器を立てた状態で配置可能な棚部材と、
前記棚部材に配置された前記電解コンデンサの前記コンデンサ用具にそれぞれ接続される収納棚端子と、
前記電解コンデンサが背面側に配置され、前記第２遮蔽物上の電解液の有無を確認するための点検用開口部が設けられているパネル
を備える収納棚。
【請求項５】
電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記封口板に設けられ、かつ前記電解コンデンサ本体に前記容器内で接続される１対の電極と、を備える電解コンデンサを収容するコンデンサ用具を含む収納棚であって、
前記防爆弁から飛散する電解液の飛散範囲を制限する第１遮蔽物と、
前記電解コンデンサの容器の下方に配置される第２遮蔽物と、
前記電解コンデンサの容器を立てた状態で配置可能な棚部材と、
前記電解コンデンサごとに設けられ、前記棚部材に配置された前記電解コンデンサの前記コンデンサ用具にそれぞれ接続される収納棚端子と、
前記電解コンデンサが背面側に配置され、前記第２遮蔽物上の電解液の有無を確認するための点検用開口部が設けられているパネルと、
を備え、
前記コンデンサ用具は、
第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、
夫々前記突出した位置から前記１対の接続導体の第２端部が互いに同じ方向に向くように、前記１対の接続導体を支持する支持部材と、
を備える、
収納棚。
【請求項６】
前記封口板を上方に向けて配置された前記電解コンデンサの容器の側面を支持する凹部を有し、前記防爆弁から飛散する電解液の飛散範囲を制限する支持体と、
前記凹部を有する支持体に前記電解コンデンサの容器を係止するための固定部材と
を備える請求項４又は請求項５に記載の収納棚。
【請求項７】
前記１対の接続導体に接続される収納棚電極
を備える請求項４から請求項６の何れか１項に記載の収納棚。
【請求項８】
前記１対の接続導体に接続される収納棚側端子の鉛直方向の高さが、前記１対の接続導体の正極と負極とで互いに異なる、
請求項４から請求項７の何れか１項に記載の収納棚。
【請求項９】
請求項４から請求項８の何れか１項に記載の収納棚と、
電源側の第１ケーブルが接続される第１端子部と、
負荷側の第２ケーブルが接続される第２端子部と、
前記第１端子部と、前記第２端子部と、前記収納棚に配置される前記電解コンデンサを接続する収納棚電極と
を備えた分電盤。
【請求項１０】
電解コンデンサ本体と、
前記電解コンデンサ本体を収納する円筒状の容器と、
前記容器の開口部を塞ぎ、かつ前記容器の内圧の上昇を制限するための防爆弁が設けられている封口板と、
前記封口板の外面から突出した面と、前記容器の外部に設ける接続導体を該面に接続するための凹部とが形成された電極として前記封口板に設けられ、かつ前記電解コンデンサ本体に前記容器内で接続される１対の電極と、
第１端部が前記１対の電極に夫々接続されたときに、前記１対の電極から前記円筒状の容器の軸方向に所定の長さ突出して、かつ夫々前記突出した位置から前記容器の軸に直交する方向に第２端部を有する１対の接続導体と、
前記１対の接続導体の第２端部が夫々前記突出した位置から互いに同じ方向に向くように、前記１対の接続導体を支持する支持部材と、
を備え、
前記防爆弁と、前記１対の電極が設けられた前記封口板を平面視した状態で、前記１対の電極を結ぶ軸に対して前記１対の接続導体の第２端部の方向とは反対の方向に前記防爆弁が配置されている、
電解コンデンサ。
【請求項１１】
箱状に形成され、１つの側面に、前記防爆弁から噴出した電解液の有無を確認するための点検用開口部が設けられている収容部に収容される
請求項１０に記載の電解コンデンサ。
【発明の詳細な説明】
【技術分野】
【０００１】
本発明は、コンデンサ用具、収納棚、分電盤、及び電解コンデンサに関する。
【背景技術】
【０００２】
直流電力を分配するための分電盤には、電圧を平滑化し、安定化させるための電解コンデンサが搭載されているものがある。一般に電解コンデンサの寿命は、分電盤の寿命よりも短い。
【０００３】
このような電解コンデンサは、劣化が進行すると電解コンデンサの容器の内圧が高くなって、容器の破損に至ることがある。このような容器の破損を避けるために、電解コンデンサには、容器内部のガスをその容器の外に逃がすための防爆弁が設けられている。この防爆弁が一旦作動すると、電解コンデンサの内部からガスと電解液が噴出又は漏出することがある。対象の電解コンデンサを適宜交換することで、劣化による破損等を予防することが望まれる。
【先行技術文献】
【特許文献】
【０００４】
【特許文献１】特開２００６−１３５０７０号公報
【発明の概要】
【発明が解決しようとする課題】
【０００５】
しかしながら、電解コンデンサの端子は、容器の蓋に設けられているが、単に電極として用いるように形成されている。このような構造の電解コンデンサを収納棚に搭載し、それを保守する場合に、容易に交換ができない場合があった。
【０００６】
本発明は、斯かる実情に鑑みなされたものであり、本発明の目的は、電解コンデンサの保守作業の負荷を軽減するコンデンサ用具、収納棚、分電盤、及び電解コンデンサを提供することにある。
【課題を解決するための手段】
【０００７】
（１）本発明の第１の態様であるコンデンサ用具は、電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、前記１対の接続導体の前記第１端部から前記第２端部までの所定の範囲を筒状に覆う１対の被覆部材と、前記所定の範囲のうちの少なくとも一部の前記１対の被覆部材を機械的に連結する連結部材とを含む支持部材であって、夫々前記突出した位置から前記１対の接続導体の第２端部が互いに同じ方向に向くように、前記１対の接続導体を支持する支持部材と、を備える。
また、他の態様であるコンデンサ用具は、電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、前記１対の接続導体の前記第１端部から前記第２端部までの所定の範囲で前記前記１対の接続導体を筒状の絶縁材でそれぞれ覆う１対の被覆部材を含み、夫々前記突出した位置から前記１対の接続導体の第２端部が互いに同じ方向に向くように、前記１対の接続導体を支持する支持部材と、を備える。
また、他の態様であるコンデンサ用具は、電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記容器の外部に設ける接続導体を接続するための凹部を備えて形成されて前記封口板に設けられた１対の電極であって、かつ前記電解コンデンサ本体に前記容器内で接続される１対の電極と、を備える電解コンデンサに適用するコンデンサ用具であって、第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、前記１対の接続導体の前記第１端部から前記第２端部までの所定の範囲を覆う１対の被覆部材を含み、夫々前記突出した位置から前記１対の接続導体の第２端部が互いに同じ方向に向くように、前記１対の接続導体を支持する支持部材と、前記１対の接続導体が夫々前記突出した位置を、前記１対の接続導体がＬ字型に屈曲している屈曲点とみなした場合、前記電解コンデンサの前記封口板と、前記屈曲点との間に設けられた蓋状の第１遮蔽物であって、前記１対の被覆部材を支持ように設けられ前記防爆弁から飛散する電解液の飛散範囲を制限する第１遮蔽物を備える。
【０００８】
（２）本発明の第２の態様である収納棚は、上記のコンデンサ用具が前記１対の電極に設けられた電解コンデンサを収容する収納棚であって、前記電解コンデンサの容器の下方に配置される第２遮蔽物を備え、前記電解コンデンサの容器を立てた状態で配置可能な棚部材と、前記電解コンデンサごとに設けられ、前記棚部材に配置された前記電解コンデンサの前記コンデンサ用具にそれぞれ接続される収納棚端子と、前記電解コンデンサが背面側に配置され、前記第２遮蔽物上の電解液の有無を確認するための点検用開口部が設けられているパネルを備える収納棚である。
【０００９】
（３）他の態様の収納棚は、電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記封口板に設けられ、かつ前記電解コンデンサ本体に前記容器内で接続される１対の電極と、を備える電解コンデンサを収容するコンデンサ用具を含む収納棚であって、前記防爆弁から飛散する電解液の飛散範囲を制限する第１遮蔽物と、前記電解コンデンサの容器の下方に配置される第２遮蔽物と、前記電解コンデンサの容器を立てた状態で配置可能な棚部材と、前記電解コンデンサごとに設けられ、前記棚部材に配置された前記電解コンデンサの前記コンデンサ用具にそれぞれ接続される収納棚端子と、前記電解コンデンサが背面側に配置され、前記第２遮蔽物上の電解液の有無を確認するための点検用開口部が設けられているパネルと、を備え、前記コンデンサ用具は、第１端部が前記１対の電極に夫々接続されたときに、前記１対の電極から前記円筒状の容器の軸方向に所定の長さ突出して、かつ夫々前記突出した位置から前記容器の軸に直交する方向に位置する第２端部を有する１対の接続導体と、夫々前記突出した位置から前記１対の接続導体の第２端部が互いに同じ方向に向くように、前記１対の接続導体を支持する支持部材と、を備える収納棚である。
【００１０】
（４）上記の収納棚は、前記封口板を上方に向けて配置された前記電解コンデンサの容器の側面を支持する凹部を有し、前記防爆弁から飛散する電解液の飛散範囲を制限する支持体と、前記凹部を有する支持体に前記電解コンデンサの容器を係止するための固定部材とを備える。
【００１１】
（５）上記の収納棚は、前記１対の接続導体に接続される収納棚電極を備える。
【００１３】
（７）上記の収納棚において、前記１対の接続導体に接続される収納棚側端子の鉛直方向の高さが、前記１対の接続導体の正極と負極とで互いに異なる。
【００１５】
（９）本発明の第３の態様である分電盤は、上記の収納棚と、電源側の第１ケーブルが接続される第１端子部と、負荷側の第２ケーブルが接続される第２端子部と、前記第１端子部と、前記第２端子部と、前記収納棚に配置される前記電解コンデンサを接続する収納棚電極とを備える。
【００１６】
（１０）本発明の第４の態様である電解コンデンサは、電解コンデンサ本体と、前記電解コンデンサ本体を収納する円筒状の容器と、前記容器の開口部を塞ぎ、かつ前記容器の内圧の上昇を制限するための防爆弁が設けられている封口板と、前記封口板の外面から突出した面と、前記容器の外部に設ける接続導体を該面に接続するための凹部とが形成された電極として前記封口板に設けられ、かつ前記電解コンデンサ本体に前記容器内で接続される１対の電極と、第１端部が前記１対の電極に夫々接続されたときに、前記１対の電極から前記円筒状の容器の軸方向に所定の長さ突出して、かつ夫々前記突出した位置から前記容器の軸に直交する方向に第２端部を有する１対の接続導体と、前記１対の接続導体の第２端部が夫々前記突出した位置から互いに同じ方向に向くように、前記１対の接続導体を支持する支持部材と、を備え、前記防爆弁と、前記１対の電極が設けられた前記封口板を平面視した状態で、前記１対の電極を結ぶ軸に対して前記１対の接続導体の第２端部の方向とは反対の方向に前記防爆弁が配置されている。
【発明の効果】
【００１７】
（１１）他の態様の電解コンデンサは、箱状に形成され、１つの側面に、前記防爆弁から噴出した電解液の有無を確認するための点検用開口部が設けられている収容部に収容される。
【図面の簡単な説明】
【００１８】
【図１】第１の実施形態の分電盤が利用される給電システム１の構成図である。
【図２】実施形態の分電盤１３の正面図である。
【図３】実施形態の給電システム１の接続図である。
【図４】実施形態の電解コンデンサ収容部１３４の接続図である。
【図５Ａ】実施形態の電解コンデンサ１４の斜視図である。
【図５Ｂ】実施形態の電解コンデンサ１４の断面図である。
【図５Ｃ】電解コンデンサ１４の封口板１４３を平面視した図である。
【図５Ｄ】端子１４４Ｐと１４４Ｎにおける接続導体を説明するための図である。
【図５Ｅ】電解コンデンサ１４の端子１４４Ｐと１４４Ｎを説明するための図である。
【図５Ｆ】電解コンデンサ１４の端子１４４Ｐと１４４Ｎに設ける連結部１４４Ｊの別案を説明するための図である。
【図６】実施形態の電解コンデンサ収容部１３４を説明するための図である。
【図７Ａ】第２の実施形態の電解コンデンサ１４Ａの斜視図である。
【図７Ｂ】実施形態の電解コンデンサ１４Ａの断面図である。
【図７Ｃ】電解コンデンサ１４Ａの封口板１４３を平面視した図である。
【図７Ｄ】電解コンデンサ１４Ａの端子１４４Ｐと１４４Ｎを説明するための図である。
【図８】実施形態の電解コンデンサ収容部１３４Ａを説明するための図である。
【図９Ａ】第２の実施形態の変形例の電解コンデンサ１４Ｂの斜視図である。
【図９Ｂ】実施形態の変形例の電解コンデンサ１４Ｂの断面図である。
【図９Ｃ】実施形態の変形例の電解コンデンサ１４Ｂの端子１４４ＰＬと１４４ＮＨを説明するための図である。
【図１０】実施形態の変形例の電解コンデンサ収容部１３４Ｂを説明するための図である。
【発明を実施するための形態】
【００１９】
以下、実施形態の分電盤、電解コンデンサ収容盤及び装置について説明する。なお以下の説明では、同一又は類似の機能を有する構成に同一の符号を付す。そして、それら構成の重複する説明は省略する場合がある。
【００２０】
（第１の実施形態）
まず、第１の実施形態の分電盤が利用される給電システム１の一例について説明する。なお、給電システム１の構成は、後述する実施形態で共通である。
【００２１】
図１は、本実施形態の分電盤が利用される給電システム１の構成図である。図２は、実施形態の分電盤１３の正面図である。図３は、実施形態の給電システム１の接続図である。図に示すように、給電システム１は、例えば、電源装置１１と、複数の負荷１２と、分電盤１３とを含む。
【００２２】
電源装置１１は、例えば、複数の負荷１２に直流電力を供給する直流電源装置である。
例えば、電源装置１１は、電源ＰＳから供給される交流電力を直流電力に変換する。電源装置１１の直流側は、正極が接地されている。電源装置１１の直流側は、分電盤１３の電源側端子に接続されている。
【００２３】
負荷１２は、電源装置１１から供給される直流電力により機能する。負荷１２は、「装置」の一例である。例えば、負荷１２には、サーバ装置又は通信機器などが含まれるが、これらに限定されない。負荷１２の電源側は、分電盤１３の負荷側端子に接続されている。
【００２４】
分電盤１３は、電源装置１１から電源側端子に供給される直流電力を、複数の負荷１２に分配する。分電盤１３は、「装置」の一例である。
【００２５】
例えば、分電盤１３は、筐体１３１と、１次配線端子部１３２と、２次配線端子部１３３と、電解コンデンサ収容部１３４とを備える。
【００２６】
筐体１３１は、箱状に形成され、その内部に４つの支柱（不図示）が設けられ、その脚部が床に固定されて自立する。筐体１３１は、側面のうち１つの面（例えば正面と呼ぶ。）とこれに対抗する面（例えば背面と呼ぶ。）に開口部が設けられていて、開口部を塞ぐように扉（不図示）がそれぞれ設けられている。図に示す筐体１３１は、扉を開いた状態である。筐体１３１は、例えば、１次配線端子部１３２と、２次配線端子部１３３と、電解コンデンサ収容部１３４とを収容する。
【００２７】
１次配線端子部１３２（第１端子部）と、２次配線端子部１３３（第２端子部）と、電解コンデンサ収容部１３４は、筐体１３１内に設けられた少なくとも１対の支柱に係止され、支持されている。１次配線端子部１３２は、分電盤１３の電源側端子の一例であり、例えば、筐体１３１の中の下段に設けられる。２次配線端子部１３３は、分電盤１３の負荷側端子の一例であり、例えば、筐体１３１の中の中段に設けられる。電解コンデンサ収容部１３４は、例えば、筐体１３１の中の上段に設けられる。１次配線端子部１３２と、２次配線端子部１３３と、電解コンデンサ収容部１３４の配置は、一例を示すものであり、これに制限されることなく適宜変更してよい。なお、電解コンデンサ収容部１３４は、１又は複数の電解コンデンサ１４を収容する。電解コンデンサ収容部１３４は、電解コンデンサ収容盤の一例である。
【００２８】
次に、図３を参照して、分電盤１３の電気的な接続関係について説明する。
【００２９】
１次配線端子部１３２には、電源装置１１からの電源ケーブル（第１ケーブル）が接続される端子１３２Ｐと１３２Ｎとが設けられている。端子１３２Ｐと１３２Ｎには、筐体１３１内部の１対の直流母線ＢＵＳＰとＢＵＳＮの一端が接続される。なお、端子等の名称に付与されている「Ｐ」が正極を示し、「Ｎ」が負極を示す。以下同様である。なお、端子１３２Ｐと１３２Ｎの接続形態に制限はなく、コネクタ接続であってもよい。
【００３０】
２次配線端子部１３３には、負荷１２への電源ケーブル（第２ケーブル）が接続される端子１３３Ｐと１３３Ｎと、ヒューズ１３３Ｆとの組が複数設けられている。端子１３３Ｐには、直流母線ＢＵＳＰの他端が接続される。端子１３３Ｎには、直流母線ＢＵＳＮの他端がヒューズ１３３Ｆを介して接続される。なお、端子１３３Ｐと１３３Ｎの接続形態に制限はなく、コネクタ接続であってもよい。
【００３１】
電解コンデンサ収容部１３４は、１対の端子１３４Ｐと１３４Ｎ（収納棚端子）と、ヒューズ１３４Ｆとを備える。端子１３４Ｐは、直流母線ＢＵＳＰに接続される。端子１３４Ｎは、ヒューズ１３４Ｆを介して直流母線ＢＵＳＮに接続される。電解コンデンサ収容部１３４は、１対の端子１３４Ｐと１３４Ｎに接続される電解コンデンサ１４を収容する。直流母線ＢＵＳＰとＢＵＳＮは、収納棚電極の一例である。
【００３２】
次に、図４を参照して、電解コンデンサ収容部１３４内の接続関係について説明する。図４は、実施形態の電解コンデンサ収容部１３４の接続図である。
【００３３】
上記の端子１３４Ｐと１３４Ｎには、１対の直流母線１３４ＢＵＳＰと１３４ＢＵＳＮの一端が接続される。上記の１対の直流母線１３４ＢＵＳＰと１３４ＢＵＳＮは、電解コンデンサ収容部１３４を形成する棚の内部に設けられている。直流母線１３４ＢＵＳＰには、電解コンデンサ１４の正極端子を電気的に接続するための端子１３４ＰＣが複数設けられている。図に示す端子１３４ＰＣ−１、端子１３４ＰＣ−２、・・・、端子１３４ＰＣ−Ｍ、及び端子１３４ＰＣ−（Ｍ＋１）は、複数の端子１３４ＰＣの一例である。Ｍは、電解コンデンサ収容部１３４が標準的に収容する電解コンデンサ１４の個数である。端子１３４ＰＣの個数は、Ｍより多い。
【００３４】
直流母線１３４ＢＵＳＮには、ヒューズ１３４Ｆを介して電解コンデンサ１４の負極を電気的に接続するための端子１３４ＮＣが複数設けられている。ヒューズ１３４Ｆ−１、ヒューズ１３４Ｆ−２、・・・、ヒューズ１３４Ｆ−Ｍ、及びヒューズ１３４Ｆ−（Ｍ＋１）は、ヒューズ１３４Ｆの一例である。同様にヒューズ１３４Ｆの個数は、Ｍより多い。端子１３４ＮＣ−１、端子１３４ＮＣ−２、・・・、端子１３４ＮＣ−Ｍ、及び端子１３４ＰＣ−（Ｍ＋１）は、複数の端子１３４ＰＣの一例である。同様に端子１３４ＮＣの個数は、Ｍより多い。
【００３５】
端子１３４ＰＣと端子１３４ＮＣの対に、電解コンデンサ１４の端子が接続されることにより、１対の直流母線にその電解コンデンサが接続されることになる。例えば、Ｍ個の電解コンデンサ１４のそれぞれは、端子１３４ＰＣ−１と１３４ＮＣ−１に、端子１３４ＰＣ−２と１３４ＮＣ−２に、・・・、端子１３４ＰＣ−Ｍと１３４ＮＣ−Ｍに接続される。これにより、負荷の消費電力の変動などに伴う１対の直流母線間の電位変動への波及を軽減し、直流電圧を安定化することができる。
【００３６】
図５Ａは、実施形態の電解コンデンサの斜視図である。図５Ｂは、実施形態の電解コンデンサ１４の断面図（図５の（ａ）の５Ａ−５Ａの面）である。図５Ｃは、電解コンデンサ１４の封口板１４３を平面視した図である。図５Ｄは、端子１４４Ｐと１４４Ｎにおける接続導体を説明するための図である。図５Ｅは、電解コンデンサ１４の端子１４４Ｐと１４４Ｎを説明するための図である。図５Ｆは、電解コンデンサ１４の端子１４４Ｐと１４４Ｎに設ける連結部１４４Ｊの別案を説明するための図である。
【００３７】
電解コンデンサ１４は、例えば、電解コンデンサ本体１４１と、容器１４２と、封口板１４３と、端子１４４Ｐと１４４Ｎと、を備える。端子１４４Ｐと１４４Ｎは１対の端子の一例である。
【００３８】
容器１４２は、１つの底面が閉塞された円筒状の容器を成し、電解コンデンサ本体１４１を収容する。容器１４２の開口部は封口板１４３により閉じられて塞がれている。
【００３９】
封口板１４３には、電解コンデンサ本体１４１に接続される正極電極１４３Ｐと負極電極１４３Ｎと、防爆弁１４３ＥＶとが設けられている。正極電極１４３Ｐと負極電極１４３Ｎは、例えば、円形状の封口板１４３の直径上に位置する。
【００４０】
図５Ｃに示すように防爆弁１４３ＥＶは、正極電極１４３Ｐと負極電極１４３Ｎを結ぶ線ｌから所定距離離れた位置に設けられている。防爆弁１４３ＥＶは、所定圧以上に容器１４２の内圧が上昇することを制限する。例えば、容器１４２内の圧力が過度になると防爆弁１４３ＥＶから容器１４２内のガスと電解液とが噴出し、防爆弁１４３ＥＶから電解液が漏出する。これにより、防爆弁１４３ＥＶは、容器１４２の内圧が上昇することを制限する。
【００４１】
正極電極１４３Ｐと負極電極１４３Ｎには、端子１４４Ｐと１４４Ｎとがそれぞれ接続される。端子１４４Ｐは、電解コンデンサ１４を電解コンデンサ収容部１３４に配置することにより、端子１３４ＰＣに接続される。端子１４４Ｎは、同様に端子１３４ＮＣに接続される。なお、電解コンデンサ１４を電解コンデンサ収容部１３４に配置するときには、Ｚ軸正の方向に移動させる。
【００４２】
端子１４４Ｐと１４４Ｎは、その第１端部が封口板１４３の正極電極１４３Ｐと負極電極１４３Ｎ（１対の電極）に夫々接続されている。端子１４４Ｐと１４４Ｎは、正極電極１４３Ｐと負極電極１４３Ｎから容器１４２の軸方向（Ｚ方向）に所定の長さ突出して、容器１４２の軸に直交する方向（＋Ｙ方向）にＬ字型に夫々屈曲している。正極電極１４３Ｐと負極電極１４３Ｎから容器１４２の軸方向（Ｚ方向）に所定の長さ突出する区間を第１区間と呼ぶ。Ｌ字型に夫々屈曲してから第２端部までを第２区間と呼ぶ。
【００４３】
例えば、端子１４４Ｐは、図５Ｄに示すように第１区間と第２区間のそれぞれに設けられた筒状の絶縁部と、各区間の絶縁部の内側を通る導体部１４４１ＣＰと導体部１４４２ＣＰとを備える。図５Ｄにおいて絶縁部を２点鎖線で示している。絶縁部の具体的な構成例について後述する。
【００４４】
導体部１４４１ＣＰが第１区間に対応し、導体部１４４２ＣＰが第２区間に対応する。導体部１４４１ＣＰの第１端部は、第１区間の絶縁部の第１底面に露出している。例えば、第１区間は、その絶縁部に貫通ネジ１４４３Ｐを通す穴が軸に沿って設けられている。端子１４４Ｐは、貫通ネジ１４４３Ｐによって正極電極１４３Ｐのネジ穴に固定されることで、導体部１４４１ＣＰが、正極電極１４３Ｐに接触する。
【００４５】
なお、貫通ネジ１４４３Ｐが導体の場合、貫通ネジ１４４３Ｐの頭部が他の金属に接触すると短絡することがありうる。そのためネジを締結した状態で、貫通ネジ１４４３Ｐの頭部が絶縁部から露出しないように保護キャップなどで隠して貫通ネジ１４４３Ｐを絶縁するとよい。或いは、貫通ネジ１４４３Ｐが樹脂などの絶縁体の場合、貫通ネジ１４４３Ｐを締結した状態であっても短絡の恐れがないため、貫通ネジ１４４３Ｐの頭部が絶縁部から露出してもよい。
【００４６】
端子１４４Ｐの第２区間において、導体部１４４２ＣＰは、端子１４４Ｐの内部で上記の屈曲点近傍で第１区間の導体部１４４１ＣＰに接続されている。導体部１４４２ＣＰは、上記の屈曲点と反対側の端部（第２端部）が露出している。
【００４７】
端子１４４Ｎは、端子１４４Ｐと同様に形成される。端子１４４Ｎは、貫通ネジ１４４３Ｎによって負極電極１４３Ｎのネジ穴に固定されることで、端子１４４Ｎの導体部１４４１Ｎが、負極電極１４３Ｎに接触し、端子１４４Ｎの第２区間において、導体部１４４２ＣＮは、上記の屈曲点と反対側の端部（第２端部）が露出している。
【００４８】
なお、端子１４４Ｐと端子１４４Ｎは、図５Ｅに示すように連結部１４４Ｊによって互いに連結されていてもよい。連結部１４４Ｊがあることによって、端子１４４Ｐと端子１４４Ｎの端部の向きを互いに同じ方向に向けることが容易になる。連結部１４４Ｊは、支持部材の一例である。
【００４９】
また、端子１４４Ｐの筒部の径と端子１４４Ｎの筒部の径を互いに異なるものにしてもよい。筒部の径の違いを利用して誤挿入防止を機械的に制限することにより逆接続を防止することができる。
【００５０】
電解コンデンサ１４の封口板１４３は、防爆弁１４３ＥＶが作動するまで容器１４２内の電解液などを封入し、外部への漏出を防いでいる。ただし、容器１４２内に発生したガス圧が所定の圧力を超えると、防爆弁１４３ＥＶが作動してガスなどを放出することで、容器１４２の破損、及び封口板１４３の飛散を未然に防ぐ。一旦防爆弁１４３ＥＶが作動すると、防爆弁１４３ＥＶの穴を通してガスだけでなく電解液を漏らすことがある。
【００５１】
なお、本実施形態の場合、電解コンデンサ１４は、容器１４２の軸が略水平になるように配置される。そのため、防爆弁１４３ＥＶの位置が封口板１４３の中で比較的上部になるように電解コンデンサ１４を配置することで、防爆弁１４３ＥＶの穴を通して漏れる電解液の量を少なくすることができる。
【００５２】
ただし、上記のように電解液が漏れる量を少なくできたとしても、その量を皆無にすることは困難である。実施形態では、電解コンデンサ１４の周囲に漏れた電解液の漏出範囲を制限するための構造を設ける。これについて順に説明する。
【００５３】
図６を参照して、実施形態の電解コンデンサ収容部の構成について説明する。
図６は、実施形態の電解コンデンサ収容部１３４を説明するための図である。図６の（ａ）に、電解コンデンサ収容部１３４の背面図を示し、図６の（ｂ）に、電解コンデンサ収容部１３４の断面図（図６の（ａ）の６Ａ−６Ａの面）を示す。なお、電解コンデンサ１４の容器１４１内部の表記を省略する。
【００５４】
電解コンデンサ収容部１３４（収容部）は、さらに、第２遮蔽物１３４２と、ブラケット１３４３と、パネル１３４４と、フレーム１３４５（棚部材）とを備える。なお、図６の（ａ）において、フレーム１３４５の一部の表記を透過させて、他の各部の関係を示す。
【００５５】
フレーム１３４５は、第２遮蔽物１３４２と、ブラケット１３４３とを収容する収納棚状に形成されている。例えば、フレーム１３４５は、棚を形成する支持材と図示しない固定部材とを備える。フレーム１３４５は、図示しない固定部材によって、第２遮蔽物１３４２と、ブラケット１３４３と、パネル１３４４とを支持する。フレーム１３４５は、さらにブラケット１３４３に配置された電解コンデンサ１４をも収容する。この場合、電解コンデンサ１４は、後述するパネル１３４４の背面側に配置される。
【００５６】
ブラケット１３４３は、電解コンデンサ収容部１３４内に配置された電解コンデンサ１４を、容器１４２の軸が略鉛直になるように支持して、これを係止する。
【００５７】
例えば、ブラケット１３４３は、支持体１３４３ａと、固定バンド１３４３ｂ（固定部材）とを備える。支持体１３４３ａは、筒の側面のように湾曲した凹部を成す面（第１の面）を有し、その面が電解コンデンサ１４側になるように配置されている。湾曲した第１の面の曲率は、電解コンデンサ１４の容器１４２の側面がその凹部にはまるように決定されている。
【００５８】
固定バンド１３４３ｂは、電解コンデンサ１４の容器１４２の側面に沿うように湾曲した板状に形成されている。固定バンド１３４３ｂは、その両端部が図示しないネジなどにより支持体１３４３ａに係止され、電解コンデンサ１４の容器１４２を所定の高さで固定する。上記のネジを緩めることで、固定バンド１３４３ｂによる電解コンデンサ１４の容器１４２の固定を解除する。
【００５９】
支持体１３４３ａは、支持体１３４３ａの本体を挟んで、その第１の面の反対側の面（第２の面）が、フレーム１４５の面に面している。第２の面が面しているフレーム１４５の面を挟んで、支持体１３４３ａの反対側に直流母線１３４ＢＵＳＰと１３４ＢＵＳＮが配置されている。直流母線１３４ＢＵＳＰと１３４ＢＵＳＮは、収納棚電極の一例である。
【００６０】
支持体１３４３ａの第１の面に接するように電解コンデンサ１４を配置すれば、電解コンデンサ１４の封口板１４３と、直流母線１３４ＢＵＳＰと１３４ＢＵＳＮとが、支持体１３４３ａとフレーム１４５の面を挟んで設けられることになる。
【００６１】
このように配置された支持体１３４３ａは、容器１４２内のガスと電解液とが、防爆弁１４３ＥＶから容器１４２の外に噴出した際に、防爆弁１４３ＥＶから飛散する電解液の飛散範囲を制限する。
【００６２】
例えば、図６に示すように電解コンデンサ１４の軸が鉛直になるように立てて配置した場合、容器１４２内のガスと電解液とが容器１４２の外に防爆弁１４３ＥＶから噴出する噴出方向は、鉛直方向（Ｚ軸の正方向）になる。
【００６３】
支持体１３４３ａの第１の面には、電解コンデンサ１４の端子１４４Ｐと端子１４４Ｎが貫通する穴が設けられている。例えば、端子１４４Ｐと端子１４４Ｎが貫通する穴は、電解コンデンサ１４の防爆弁１４３ＥＶの高さに対して所定の高さ（ｚ１）高く設けられていて、防爆弁１４３ＥＶの中心を通る軸からも偏心している。そのため、端子１４４Ｐと端子１４４Ｎが貫通する穴に、防爆弁１４３ＥＶから噴出した電解液が直接的に飛散しにくい位置にある。仮に支持体１３４３ａの第１の面の穴方向に電解液が飛散しても、穴を通って直流母線１３４ＢＵＳＰと１３４ＢＵＳＮ側に抜けにくい。
【００６４】
なお、その第１の面が、防爆弁１４３ＥＶから飛散する電解液を受けることで、その飛散を制限する。第１の面で受けた電解液は、重力によって垂れる。防爆弁１４３ＥＶから噴出したガスは、電解コンデンサ収容部１３４内に拡散する。
【００６５】
フレーム１３４５には、作業員が電解コンデンサ収容部１３４の保守作業を実施する際に作業員が位置する方向に面したパネル１３４４が設けられている。例えば、パネル１３４４は、フレーム１３４５の開放側（Ｙ軸の負側の端部）に配置されている。このようなパネル１３４４は、電解コンデンサ収容部１３４が設けられた筐体１３１（図３）の開口部側から視認可能な位置に配置される。
【００６６】
実施形態のパネル１３４４は、第２遮蔽物１３４２上の電解液の有無（防爆弁の動作状態）を筐体１３１の開口部側（正面側）から視認できるように形成されている。また、パネル１３４４には、スリット１３４４Ｓ（点検用開口部）が設けられている。これにより、電解コンデンサ収容部１３４のフレーム１３４５からパネル１３４４を外すことなく、第２遮蔽物１３４２上の電解液の有無を容易に確認できる。なお、スリット１３４４Ｓは、上記の他、ガス（蒸気）を逃がして、電解コンデンサ収容部１３４の内圧の上昇を抑制する。
【００６７】
上記により、防爆弁１４３ＥＶからの噴出物が、直流母線１３４ＢＵＳＰと１３４ＢＵＳＮに掛かることを防ぐことができる。電解液が銅などの金属に掛かると、その金属が腐食することがある。そのため、直流母線１３４ＢＵＳＰと１３４ＢＵＳＮに電解液の成分が掛からないように制限する支持体１３４３ａは、腐食防止の点で有効である。
【００６８】
なお、第２遮蔽物１３４２は、板状部材であり、防爆弁１４３ＥＶと支持体１３４３ａの下方に配置されている。例えば、第２遮蔽物１３４２は、略水平に設置されている。第２遮蔽物１３４２は、その周囲の縁が競り上がっていて、流動性のある液体がその端部から溢れないように形成されている。これにより、第２遮蔽物１３４２は、防爆弁１４３ＥＶから噴出した電解液又は防爆弁１４３ＥＶから漏出した電解液が第２遮蔽物１３４２から滴下しないように、その電解液を溜め置くことができる。
【００６９】
なお、支持体１３４３ａと、第２遮蔽物１３４２は、別体で形成されていてもよく、一体化された部材を、所定の位置で屈曲させて形成されていてもよい。
【００７０】
続いて、電解コンデンサ収容部１３４の利用に関する手順について説明する。
【００７１】
（電解コンデンサを配置するための手順）
まず、電解コンデンサ１４を電解コンデンサ収容部１３４に配置する際の手順について説明する。
電解コンデンサ収容部１３４のパネル１３４４をフレーム１３４５から取り外すと、固定ネジで固定されている固定バンド１３４３ｂが露出する。次に、固定バンド１３４３ｂの固定ネジを緩めて固定バンド１３４３ｂの固定を解除する。これによりブラケット１３４３の開口部側が開放されて、電解コンデンサ１４の搭載及び撤去が可能になる。この状態で、必要数の電解コンデンサ１４を、所定の位置のブラケット１３４３に配置する。電解コンデンサ１４の配置を終えると、上記と逆の手順で固定バンド１３４３ｂとパネル１３４４を元の状態に戻す。
【００７２】
（電解コンデンサを交換するための手順）
次に、電解コンデンサ１４を交換する際の手順について説明する。
【００７３】
例えば、電解コンデンサ収容部１３４には、常時実装する電解コンデンサ１４の個数よりも、ブラケット１３４３の個数が多くなるように設けられている。この場合、電解コンデンサ１４が実装されていないブラケット１３４３（予備ブラケットと呼ぶ。）が存在する。以下に示す交換の手順は、予備ブラケットを利用することを前提とする。
【００７４】
まず、上記の配置する際の手順と同様の手順で、電解コンデンサ収容部１３４のパネル１３４４を取り外して、固定バンド１３４３ｂの固定を解除する。
【００７５】
予備充電された電解コンデンサ１４を、予備ブラケットに配置する。これにより、必要数より１つ多くの電解コンデンサ１４が並列に接続されることになる。
次に、交換対象の電解コンデンサ１４の内から１つを撤去する。これにより、並列に接続された電解コンデンサ１４の個数が、当初の必要数（例えば、Ｍ個。）に戻る。上記の撤去により、１つのブラケット１３４３が空き状態になる。この空き状態のブラケット１３４３を、予備ブラケットとして利用する。
【００７６】
上記を繰り返して、対象の電解コンデンサの全数（Ｍ個）を交換する。
【００７７】
（電解コンデンサの状態を確認するための手順）
次に、電解コンデンサ１４の状態を確認するための手順について説明する。
電解コンデンサ収容部１３４に配置されているパネル１３４４のスリット１３４４Ｓから電解コンデンサ収容部１３４内を覗くと、第２遮蔽物１３４２の上面が見える。第２遮蔽物１３４２の上面に異物がなければ、電解コンデンサ１４から電解液の漏出が生じていないと判断できる。第２遮蔽物１３４２の上面に異物があれば、電解コンデンサ１４から漏出した電解液が残留している効能性がある。
【００７８】
上記のように電解コンデンサ収容部１３４にパネル１３４４を取り外すことなく、パネル１３４４に設けられているスリット１３４４Ｓから電解コンデンサ収容部１３４内の電解コンデンサ１４が損傷していないかを確認できる。
【００７９】
（電解コンデンサの電解液が漏出している場合の保守の手順）
次に、電解コンデンサ１４の電解液が漏出している場合の保守の手順について説明する。
まず、上記の配置する際の手順と同様の手順で、電解コンデンサ収容部１３４のパネル１３４４を取り外して、固定バンド１３４３ｂの固定を解除する。
【００８０】
予備充電された電解コンデンサ１４を、予備ブラケットに配置する。これにより、必要数より１つ多くの電解コンデンサ１４が並列に接続されることになるが、そのうち１つが損傷していた場合には、必要数に回復した状態になる。
【００８１】
次に、損傷した電解コンデンサ１４をブラケット１３４３から撤去する。これによって、必要数よりも不足することはない。
【００８２】
次に、電解コンデンサ１４の損傷が発生していた位置の第２遮蔽物１３４２と、ブラケット１３４３とについて、洗浄して初期の状態に回復させる。又は交換により初期の状態に回復させてもよい。
【００８３】
電解コンデンサ１４の損傷が発生していた位置を、洗浄又は交換により初期の状態に回復できれば、その位置を予備ブラケットとして利用することができる。なお、洗浄又は交換により初期の状態に回復するまでは、予備ブラケットとして利用することができないが、電解コンデンサ１４の交換作業と、洗浄又は交換により初期の状態に回復させて予備ブラケットとして利用可能にする保守作業とを、一度に纏めて実施してもよく、分けて実施してもよい。
【００８４】
なお、第２遮蔽物１３４２は、複数の電解コンデンサ１４に対応づけられていてもよく、ブラケット１３４３は、複数の電解コンデンサ１４が配置できるように結合されていてもよい。
或いは、第２遮蔽物１３４２と、ブラケット１３４３は、電解コンデンサ１４毎に独立していてもよい。上記のように独立させる場合には、第２遮蔽物１３４２と、ブラケット１３４３を交換する場合に適している。
【００８５】
上記の実施形態によれば、電解コンデンサ１４に適用する端子１４４Ｐと１４４Ｎ（コンデンサ用具）は、第１端部が円筒状の容器１４２の封口板１４３の正極電極１４３Ｐと負極電極１４３Ｎに夫々接続され、正極電極１４３Ｐと負極電極１４３Ｎから容器１４２の軸方向に所定の長さ突出して、かつ夫々突出した位置から容器１４２の軸に直交する方向に位置する第２端部を有する１対の接続導体と、夫々突出した位置から前記１対の接続導体の第２端部が互いに同じ方向に向くように、前記１対の接続導体を支持する支持部材と、を備えることにより、電解コンデンサ１４の封口板１４３を上部に向けて電解コンデンサ１４を配置すること、上記のように配置された電解コンデンサ１４を撤去・交換することなどが容易になり、電解コンデンサ１４の保守作業の負荷を軽減することができる。なお、導体部１４４１ＣＰと導体部１４４２ＣＰの組と、導体部１４４１ＣＮと導体部１４４２ＣＮの組は、１対の接続導体の一例である。以下の説明で、これらを纏めて１対の接続導体と呼ぶことがある。上記の電解コンデンサ収容部１３４は、収納棚の一例である。
【００８６】
上記の実施形態によれば、電解コンデンサ１４は、電解コンデンサ本体１４１と、電解コンデンサ本体１４１を収納する円筒状の容器１４２と、容器１４２の開口部を塞ぎ、かつ容器１４２の内圧の上昇を制限するための防爆弁１４３ＥＶが設けられている封口板１４３と、封口板１４３に設けられ、かつ電解コンデンサ本体１４１に容器１４２内で接続される正極電極１４３Ｐと負極電極１４３Ｎと、第１端部が正極電極１４３Ｐと負極電極１４３Ｎに夫々接続されたときに、正極電極１４３Ｐと負極電極１４３Ｎから容器１４２の軸方向に所定の長さ突出して、かつ夫々突出した位置から容器１４２の軸に直交する方向に位置する第２端部を有する１対の接続導体と、前記１対の接続導体の第２端部が夫々突出した位置から互いに同じ方向に、前記１対の接続導体の第２端部が向くように支持する支持部材と、を備えることにより、電解コンデンサ１４の保守作業の負荷を軽減することができる。
【００８７】
上記の実施形態によれば、電解コンデンサ収容部１３４は、端子１４４Ｐと１４４Ｎが正極電極１４３Ｐと負極電極１４３Ｎに設けられた電解コンデンサ１４を収容する。電解コンデンサ収容部１３４は、電解コンデンサ１４の容器を立てた状態で配置可能な棚部材と、電解コンデンサ１４ごとに設けられ、棚部材に配置された電解コンデンサ１４の端子１４４Ｐと１４４Ｎにそれぞれ接続される端子１３３Ｐと１３３Ｎ（収納棚端子）と、を備えることにより、電解コンデンサ１４の交換を容易にして、電解コンデンサの保守作業の負荷を軽減することができる。
【００８８】
上記の実施形態によれば、さらに、１対の接続導体は、第１端部が１対の電極に夫々接続されたときに、１対の電極から容器１４２の軸方向に所定の長さ突出して、夫々突出した位置から容器１４２の軸に直交する方向に第２端部がＬ字型に夫々屈曲している。連結部１４４Ｊが、１対の接続導体の屈曲方向を互いに同じ方向に向けて支持することで、１対の接続導体を安定に支持することができる。
【００８９】
上記の実施形態において、図５Ｆに示した連結部１４４Ｊを設けた場合には、連結部１４４Ｊが、支持体１３４３ａの第１の面に設けられた穴、つまり端子１４４Ｐと端子１４４Ｎが貫通するように設けられた穴方向に電解液が飛散すること制限するので、簡易な方法で、電解液が飛散する範囲を制限することができる。
【００９０】
（第１の実施形態の第１変形例）
第１の実施形態の第１変形例について説明する。
第１の実施形態の１対の接続導体は、Ｌ字型に夫々屈曲しているものとして説明したが、本変形例では、これに代えて、Ｌ字型になるように連結されていてもよい。本変形例の場合も、第１の実施形態と同様の効果を奏する。
【００９１】
（第２の実施形態）
図５Ａから図５Ｆと図６に代えて、図７Ａから図７Ｄと図８とを参照して、第２の実施形態について説明する。
第１の実施形態では、電解コンデンサ収容部１３４の支持体１３４３ａが電解液の飛散を制限していたが、本実施形態では、これに加えて第１遮蔽物１４４Ｇが電解コンデンサ１４Ａに設けられている事例について説明する。
【００９２】
図７Ａは、実施形態の電解コンデンサ１４Ａの斜視図である。図７Ｂは、実施形態の電解コンデンサ１４Ａの断面図（図７の（ａ）の７Ａ−７Ａの面）である。図７Ｃは、電解コンデンサ１４Ａの封口板１４３を平面視した図である。図７Ｄは、電解コンデンサ１４Ａの端子１４４Ｐと１４４Ｎを説明するための図である。図８は、実施形態の電解コンデンサ収容部１３４Ａを説明するための図である。なお、端子１４４Ｐと１４４Ｎにおける接続導体を説明するための図を省略する。
【００９３】
電解コンデンサ１４Ａの端子１４４Ｐと１４４Ｎには、第１遮蔽物１４４Ｇが設けられている。第１遮蔽物１４４Ｇは、容器１４２内のガスと電解液とが、防爆弁１４３ＥＶから容器１４２の外に噴出した際に、防爆弁１４３ＥＶから飛散する電解液の飛散範囲を制限する。
【００９４】
例えば、第１遮蔽物１４４Ｇは、円盤状に形成され、円盤の下側の面に周にそった縁部が設けられている。電解コンデンサ１４Ａの容器の軸が略鉛直方向になるように配置されているときに、第１遮蔽物１４４Ｇの垂直断面は、下向きに凹部が設けられた蓋のような形になる。第１遮蔽物１４４Ｇの材質は、絶縁性がある樹脂などでよい。
【００９５】
実施形態の第１遮蔽物１４４Ｇは、１対の接続導体の屈曲方向を互いに同じ方向に向けて端子１４４Ｐと１４４Ｎを支持するように形成されていてもよく、端子１４４Ｐと１４４Ｎと一体で形成されていてもよい。
【００９６】
１対の接続導体が正極電極１４３Ｐと負極電極１４３Ｎから容器１４２の軸方向に夫々突出した位置を、１対の接続導体がＬ字型に屈曲している屈曲点とみなした場合、第１遮蔽物１４４Ｇは、電解コンデンサ１４Ａの封口板１４３と、屈曲点との間に位置する。これにより、防爆弁１４３ＥＶから飛散する電解液の飛散範囲を制限することができ、電解コンデンサ１４Ａの保守作業の負荷を軽減することができる。
【００９７】
例えば、第１遮蔽物１４４Ｇは、劣化した電解コンデンサ１４Ａとともに撤去される。新たに配置する電解コンデンサ１４Ｂ（不図示）には、これに代わる第１遮蔽物１４４ＧＢ（不図示）が設けられているので、単に電解コンデンサ１４Ａから電解コンデンサ１４Ｂに交換する際に、第１遮蔽物１４４Ｇを付け替える必要がない。
【００９８】
上記の実施形態によれば、第１の実施形態と同様の効果を奏することの他、第１遮蔽物１４４Ｇは、噴出する電解液を遮蔽することと、端子１４４Ｐと１４４Ｎを支持することの祖両方の機能を有するものとしてもよい。
【００９９】
（第２の実施形態の変形例）
図７Ａと、図７Ｂと、図８とに代えて、図９Ａと、図９Ｂと、図９Ｃと、図１０とを参照して、第２の実施形態の変形例について説明する。
第２の実施形態では、端子１４４Ｐと１４４Ｎの端部の高さが同じものであったが、本変形例では、これに代えて端子１４４ＰＬと１４４ＮＨとして、その端部の高さが互いに異なるものを適用する。なお、本変形例は、第２の実施形態の変形例として説明するが、第１の実施形態への適用を制限するものではない。
【０１００】
図９Ａは、実施形態の電解コンデンサ１４Ｂの斜視図である。図９Ｂは、実施形態の電解コンデンサ１４Ｂの断面図（図９の（ａ）の９Ａ−９Ａの面）である。図９Ｃは、電解コンデンサ１４Ｂの端子１４４ＰＬと１４４ＮＨを説明するための図である。図１０は、実施形態の電解コンデンサ収容部１３４Ｂの断面図である。図１０の（ａ）に、電解コンデンサ収容部１３４Ｂの背面図を示し、図１０の（ｂ）に、電解コンデンサ収容部１３４Ｂの断面図（図１０の（ａ）の１０Ａ−１０Ａの面）を示す。電解コンデンサ収容部１３４Ｂは、電解コンデンサ収容部１３４に代わるものである。なお、第２の実施形態において平面視した図は、これらの図に準じて相違点になる箇所を読み替える。例えば、電解コンデンサ１４Ａを電解コンデンサ１４Ｂに読み替える。第２の実施形態との相違点を中心に説明する。
【０１０１】
図９Ａから図９Ｃに示すように端子１４４ＰＬと１４４ＮＨ（１対の接続導体）の端部の高さは互いに異なる。図１０に示すように、この端子１４４ＰＬと１４４ＮＨに接続される収納棚側端子の鉛直方向の高さも互いに異なるものにする。
【０１０２】
端子１４４ＰＬと１４４ＮＨの端部とは、例えば、１対の直流母線１３４ＢＵＳＰと１３４ＢＵＳＮとに接続される端子１４４ＰＬと１４４ＮＨの電極部分のことである。端子１４４ＰＬと１４４ＮＨの端部の高さとは、図１０の（ｂ）に示す第２遮蔽物１３４２の面上から、端子１４４ＰＬと１４４ＮＨの電極部分までの高さである。これを図１０においてｈ１とｈ２で示す。
【０１０３】
図に示すように本変形例の場合も第２の実施形態の場合と同様に、電解コンデンサ１４Ｂの端子１４４ＰＬと１４４ＮＨには、第１遮蔽物１４４Ｇが設けられている。そして端子１４４ＰＬと１４４ＮＨの端部は、第１遮蔽物１４４Ｇよりも高い位置にある。それゆえ第１遮蔽物１４４Ｇは、前述した通り、容器１４２内のガスと電解液とが、防爆弁１４３ＥＶから容器１４２の外に噴出した際に、防爆弁１４３ＥＶから飛散する電解液の飛散範囲を制限する。
これにより、防爆弁１４３ＥＶから飛散する電解液の飛散範囲を制限することができ、電解コンデンサ１４Ｂの保守作業の負荷を軽減することができる。さらに、第１遮蔽物１４４Ｇは、噴出する電解液を遮蔽することと、端子１４４ＰＬと１４４ＮＨを支持することの両方の機能を有するものとしてもよい。
【０１０４】
以上、本発明の一実施形態について説明したが、本発明の実施形態は上記のものに限定されない。例えば、各実施形態とその変形例に例示した手法は、例示した組合せ以外の組みにしてもよい。また、本発明の実施形態は、上記の実施形態を次のように変形したものとすることができる。
【０１０５】
例えば、分電盤１３は、電解コンデンサ収容部１３４と、電解コンデンサ収容部１３４から電力の供給を受ける負荷１２Ａと、電解コンデンサ収容部１３４と負荷１２Ａとを収納する筐体１３１とを備えた装置として形成されていてもよい。
【０１０６】
例示した給電システム１は、正極接地型であったが、これに制限されることなく、例えば、高抵抗中性点接地型であってもよい。その場合には、電源装置１１の出力側の両極を高抵抗によって接地して、さらに分電盤１３等内の１次配線端子部１３２に図示しない配線用遮断器を設け、その配線用遮断器の負荷側の直流母線にも配線用遮断器を設けるとよい。
【符号の説明】
【０１０７】
１  給電システム、１１  電源装置、１２  負荷、１３  分電盤、１３４、１３４Ａ、１３４Ｂ  電解コンデンサ収容部（収容部、コンデンサ収容収容盤盤）、１３４２  第２遮蔽物、１３４３  ブラケット（第１遮蔽物）、１３４４  パネル、１３４５  フレーム、１４、１４Ａ、１４Ｂ  電解コンデンサ、１４４、１４４Ｐ、１４４Ｎ、１４４ＰＬ、１４４ＮＨ  端子、１４４Ｇ  第１遮蔽物
【図１】
0006854853.tif 000002
【図２】
0006854853.tif 000003
【図３】
0006854853.tif 000004
【図４】
0006854853.tif 000005
【図５Ａ】
0006854853.tif 000006
【図５Ｂ】
0006854853.tif 000007
【図５Ｃ】
0006854853.tif 000008
【図５Ｄ】
0006854853.tif 000009
【図５Ｅ】
0006854853.tif 000010
【図５Ｆ】
0006854853.tif 000011
【図６】
0006854853.tif 000012
【図７Ａ】
0006854853.tif 000013
【図７Ｂ】
0006854853.tif 000014
【図７Ｃ】
0006854853.tif 000015
【図７Ｄ】
0006854853.tif 000016
【図８】
0006854853.tif 000017
【図９Ａ】
0006854853.tif 000018
【図９Ｂ】
0006854853.tif 000019
【図９Ｃ】
0006854853.tif 000020
【図１０】
0006854853.tif 000021